(57)【特許請求の範囲】
【請求項１】
本体の外郭を形成し調理庫を備えたロースタ部を内部に有する外郭ケースと、前記本体の上部に設けた加熱部と、操作部が固定され前記本体の前面に摺動自在に取付けた前板と、前記前板と前記外郭ケースとを固定する固定手段と、前記外郭ケースの上面に設けたトップフレームと、前記トップフレームに取付けたトッププレートとを備え、前記前板は、前記外郭ケースに嵌合されかつ前記前板に前記ロースタ部が取り付けられるかまたは前記前板は、前記外郭ケース及び前記調理庫内に嵌合されかつ前記本体に前記ロースタ部が取り付けられ、前記本体を厨房家具に取付けた後、前記外郭ケースを移動することなく前記前板の位置調整により前記厨房家具との前面合わせをし、前記固定手段で前記前板を固定するとともに、前記トッププレーのト少なくとも底面は、前記厨房家具の天板の開口部に入る位置とし前記トッププレートの上面と前記天板の上面とは面一になる位置に構成した組込み型加熱調理器。
【発明の詳細な説明】
【０００１】
【発明の属する技術分野】
本発明は、本体上部の加熱部を広く構成しても厨房家具の前面と位置調整ができる組込み型加熱調理器に関するものである。
【０００２】
【従来の技術】
近年、台所で使用される加熱調理器として、火を使わない、燃焼ガスのでない安全なクリーンな熱源として誘導加熱調理器が普及してきている。この誘導加熱調理器の従来の構成は次のようなものであった。
【０００３】
図９は、厨房家具に取付けられた従来の組込み型加熱調理器の断面図である。１は外郭ケースで、上面にトップフレーム２が取付けられ、トップフレーム２にはトッププレート３が接着等で固定されている。トッププレート３の下には加熱コイル４が設けられており、さらに、加熱コイル４に電流を流す駆動回路５を具備し、加熱コイル４と駆動回路５と電磁誘導方式の加熱部６を構成している。７は冷却ファンで、外郭ケース１内に設けられており、駆動回路５内の発熱部品や加熱コイル４に冷却風を送っている。８はトップフレーム２に設けられた吸気口で、冷却ファン７と吸気口８とを吸気通路９で連結している。１０は前板で、外郭ケース１の前面に取付けられている。１１は操作部で、前板１０に固定されており、操作部１１と駆動回路５とは電気的に連結されている。１２は厨房家具で、上面には開口部１３を具備した天板１４を設けている。１５は飾り枠で、前板１０に取付け、前板１０と厨房家具１２との隙間を低減している。
【０００４】
図において、鍋等の調理器具を加熱するときは、トッププレート３の上に調理器具を置き、操作部１１のスイッチを入れることで、駆動回路５から加熱コイル４に電流が流れ、調理器具を誘導加熱することができる。この時、駆動回路５や加熱コイル４を冷却ファン７で冷却するので、発熱して故障することなく使うことができる。厨房家具１２に本体を取付ける際に、本体前面を構成する前板１０と厨房家具１２の前面との位置合わせをする必要があるが、外郭ケース１と天板１４の開口部１３との間に隙間Ａ，Ａ′を設けているので、本体をその隙間の中で前後に調整することで各種の厨房家具１２に対応することができる。厨房家具１２の前面と開口部１３との距離は、メーカーや機種等でまちまちであり、前記位置合わせのためには、その調整隙間としてＡ，Ａ′が必要となる。
【０００５】
【発明が解決しようとする課題】
しかしながら、前記した従来構成では、外郭ケースと天板の開口部との間に、本体前面を構成する前板１０と厨房家具１２の前面との位置合わせのための隙間を構成することが必要であり、その分本体上部の天板開口部付近の面積が小さくなり、結果として加熱部を大きくすることができなかった。また、厨房家具の前面と本体の前面との位置合わせを行うとき、本体全体を動かして行う必要があった。
【０００６】
本発明は前記課題を解決するもので、本体上部の加熱部を大きくすることができ、かつ本体全体を移動することなく厨房家具の前面と面合わせができる組込み式加熱調理器を提供することを目的とする。
【０００７】
【課題を解決するための手段】
前記従来の課題を解決するために、本発明の組込み型加熱調理器は、本体の外郭を形成し調理庫を備えたロースタ部を内部に有する外郭ケースと、前記本体の上部に設けた加熱部と、操作部が固定され前記本体の前面に摺動自在に取付けた前板と、前記前板と前記外郭ケースとを固定する固定手段と、前記外郭ケースの上面に設けたトップフレームと、前記トップフレームに取付けたトッププレートとを備え、前記前板は、前記外郭ケースに嵌合されかつ前記前板に前記ロースタ部が取り付けられるかまたは前記前板は、前記外郭ケース及び前記調理庫内に嵌合されかつ前記本体に前記ロースタ部が取り付けられ、前記本体を厨房家具に取付けた後、前記外郭ケースを移動することなく前記前板の位置調整により前記厨房家具の前面合わせをし、前記固定手段で前板を固定するとともに、前記トッププレートの少なくとも底面は、前記厨房家具の天板の開口部に入る位置とし前記トッププレートの上面と前記天板の上面とは面一になる位置に構成した。
【０００８】
この構成によって、厨房家具の天板開口部とほぼ同寸法まで外郭ケースを広くすることができ、その中に入る加熱部は、外郭ケースが広くなった分大きくすることができる。また、外郭ケースと嵌合する前板を摺動自在に取付けることができるため、本体全体を移動することなく本体前面を調整することで厨房家具の前面と面合わせすることができる。
【０００９】
また、厨房家具の天板上面とトッププレート上面との高さを面一構成にでき、トップフレームとトッププレートからなる本体上面部の天板上面からの飛出し分が低減し、トッププレートへの調理器具の載置しやすさや清掃性といった使い勝手が良くなるとともに、スッキリした感じがするデザイン性の向上が図れる。また、トッププレートを厨房家具の天板の開口部とほぼ同寸法まで大きくしても、前板と外郭ケースとの間で寸法調整することで、本体の前面である前板と厨房家具の前面との位置合わせをすることができる。これによって、トッププレートが大きくなって使い勝手がよくなる。
【００１０】
また、調理庫と嵌合する前板を摺動自在に取付け、調理庫内とトップフレームの外側とを連結する排気筒を具備することにより、ロースタ付きの製品でも排気筒を固定した状態で、前板と外郭ケースとの間で寸法を調整することができる。このため、排気筒を伸縮自在にせずにロースタ部の位置調整をすることができる。
【００１１】
【発明の実施の形態】
請求項１に記載の発明は、本体の外郭を形成し調理庫を備えたロースタ部を内部に有する側を外郭ケースと、前記本体の上部に設けた加熱部と、操作部が固定され前記本体の前面に摺動自在に取付けた前板と、前記前板と外郭ケースとを固定する固定手段と、前記外郭ケースの上面に設けたトップフレームと、前記トップフレームに取付けたトッププレートとを備え、前記前板は、前記外郭ケースに嵌合されかつ前記前板に前記ロースタ部が取り付けられるかまたは前記前板は、前記外郭ケース及び前記調理庫内に嵌合されかつ前記本体に前記ロースタ部が取り付けられ、前記本体を厨房家具に取付けた後、前記外郭ケースを移動することなく前記前板の位置調整により前記厨房家具の前面合わせをし、前記固定手段で前記前板を固定するとともに、前記トッププレートの少なくとも底面は、前記厨房家具の天板の開口部に入る位置とし前記トッププレートの上面と前記天板の上面とは面一になる位置に構成したとすることにより、厨房家具の天板開口部とほぼ同寸法まで外郭ケースを広くすることができ、その中に入る加熱部は、外郭ケースが広くなった分大きくすることができる。また、外郭ケースと嵌合する前板を摺動自在に取付けることができるため、本体全体を移動することなく本体前面を調整することで厨房家具の前面と面合わせすることができる。
【００１２】
また、外郭ケースの上面にトップフレームを設け、トップフレームにはトッププレートを取付け、トッププレートの少なくとも底面は、厨房家具の天板の開口部に入る位置とし前記トッププレートの上面と前記天板の上面とは面一になる位置に構成したとすることにより、厨房家具の天板上面とトッププレート上面との高さを面一構成にでき、トップフレームとトッププレートからなる本体上面部の天板上面からの飛出し分が低減し、トッププレートへの調理器具の載置しやすさや清掃性といった使い勝手が良くなるとともに、スッキリした感じがするデザイン性の向上が図れる。また、トッププレートを厨房家具の天板の開口部とほぼ同寸法まで大きくしても、前板と外郭ケースとの間で寸法調整することで、本体の前面である前板と厨房家具の前面との位置合わせをすることができる。これによって、トッププレートが大きくなって使い勝手がよくなる。
【００１３】
また、調理庫と嵌合する前板を摺動自在に取付け、調理庫内とトップフレームの外側とを連結する排気筒を具備することにより、ロースタ付きの製品でも排気筒を固定した状態で、前板と外郭ケースとの間で寸法を調整することができる。このため、排気筒を伸縮自在にせずにロースタ部の位置調整をすることができる。
【００１４】
【実施例】
以下、本発明の実施例について、図面を参照しながら説明する。
【００１５】
（実施例１）
図１は本発明の実施例１における組込み型加熱調理器の斜視図、図２は同組込み型加熱調理器の操作部側を示す側面断面図、図３は同組込み型加熱調理器のロースタ部側を示す側面断面図、図４は同組込み型加熱調理器の要部斜視図である。
【００１６】
図１ないし図４において、１６は外郭ケースで、上面にトップフレーム１７が取付けられ、トップフレーム１７にはトッププレート１８が接着で固定されている。トッププレート１８の下には加熱コイル１９ａ，１９ｂが設けられており、さらに加熱コイル１９ａ，１９ｂに電流を流す駆動回路２０ａ，２０ｂを具備し、加熱コイル１９ａ，１９ｂと駆動回路２０ａ，２０ｂとで電磁誘導方式の加熱部２１ａ，２１ｂを構成している。２２は冷却ファンで、外郭ケース１６内に設けられており、駆動回路２０ａ，２０ｂ内の発熱部品や加熱コイル１９ａ，１９ｂに冷却風を送っている。２３はトップフレーム１７に設けられた吸気口で、冷却ファン２２と吸気口２３とを吸気通路２４で連結している。２５は電熱線方式のヒータで、トッププレート１８の下に取付け、電熱線ヒータの加熱部２６を構成している。２７は前板で、外郭ケース１６の前面に摺動できるように嵌合し、前板２７の両側面に開けられた長孔２８に固定手段である固定ねじ２９を外郭ケース１６の固定孔３０に締込んで固定している。３１は操作部で、前板２７に固定されており、操作部３１と駆動回路２０ａ，２０ｂとは電気的に連結されている。３２はロースタ部で、調理庫３３および遮熱ケース３４を前板２７に固定し、調理庫３３内には、上ヒータ３５、下ヒータ３６を取付け、また、調理物を載せる網３７と受皿３８とを具備し、さらに、調理庫３３の前面にはロースタ扉３９を設け、ロースタ扉３９と受皿３８とは結合し、ロースタ扉３９の開閉で調理物の出し入れができるようにしている。また、４０は排気筒で、調理庫３２とトップフレーム１７に設けられたロースタ排気口４１と連結し、途中を蛇腹状部４２に形成して伸縮できるようにしている。４３は給排気パネルで、複数の連通した小孔を開け、吸気口２３やロースタ排気口４１の上を覆いゴミ等が本体内に入ることの防止をしている。４４は厨房家具で、上面には開口部４５を有した天板４６を設けている。トッププレート１８の上面と天板４６の上面とは面一になる位置に構成している。４７は飾り枠で、前板２７に取付け、前板２７と厨房家具４４との隙間を低減している。
【００１７】
以上本実施例の構成において、鍋等の調理器具を加熱するときは、トッププレート１８の上に調理器具を置き、操作部３１のスイッチを入れることで、駆動回路２０ａ，２０ｂから加熱コイル１９ａ，１９ｂに電流が流れ、調理器具を誘導加熱することができる。この時、駆動回路２０ａ，２０ｂや加熱コイル１９ａ，１９ｂを冷却ファン２２で冷却するので、発熱して故障することなく使うことができる。
【００１８】
また、外郭ケース１６の上部やトッププレート１８を厨房家具４４の天板４６の開口部４５とほぼ同寸法まで拡げても、前板２７と外郭ケース１６との間で寸法調整することで、本体の前面である前板２７と厨房家具４４の前面との位置合わせができる。また、位置合わせ後は、前板２７に開けられた長孔２８を介して固定ねじ２９で外郭ケース１６の固定孔３０に締め付けることで使用中に前板２７が位置ずれすることを防止している。この構成によって、外郭ケース１６の上部を広くすることができ、また、内部の加熱コイル１９ａ，１９ｂや電熱式のヒータ２５を大きくすることができ、大きな加熱部２１ａ，２１ｂ，２６を設けることができる。また、トッププレート１８は天板４６の開口部４５とほぼ同寸法まで大きくすることができ、使い勝手が良くなる。さらに、この構成によって、トッププレート１８の上面と天板４６の上面とをほぼ面一にすることができ、トップフレーム１７とトッププレート１８からなる本体上面部の天板４６からの飛び出し分が低減し、トッププレート１８への調理器具の載置しやすさや清掃性といった使い勝手が良くなるとともに、スッキリした感じがするデザイン性の向上が図れる。
【００１９】
さらに、排気筒４０の蛇腹状部４２が伸縮することにより、前板２７に取付けられたロースタ部３２の位置の調整ができるため、その接合部から調理庫３３内の熱や煙等が漏れる等の問題が発生しにくい。
【００２０】
なお、本実施例においては、前板と外郭ケースとを固定する固定手段として固定ねじを用いた場合を示したが、この他、簡単な固定手段として接着や粘着テープや磁石や孔に爪を引っかける構成等を用いて固定しても良い。要は、前板と外郭ケースとをしっかり固定する手段であれば良い。
【００２１】
なお、本実施例においては、厨房家具と組込み型加熱調理器との前面合わせを前板と外郭ケースとの間隔を調整することにより行う例について述べたがこれに限定されるものではなく、例えば、前板の前面に取付ける操作板の厚みを可変自在にする構成、あるいは操作板と前板との間隔を可変自在にする構成にすることにより、前面合わせを行うようにしても良い。
【００２２】
また、加熱部は電磁誘導方式および電熱方式を用いたが、例えばガスバーナ等を加熱部に用いても良い。さらに、外郭ケースの上にトップフレームとトッププレートを構成したが、外郭ケース上部に加熱部を突出して構成しても良く、要は、前板と外郭ケースとの間で寸法調整する構成を設ければよい。
【００２３】
（参考例１）
図５は、本発明の参考例１における組込み型加熱調理器の要部断面図である。
【００２４】
参考例１において実施例１と異なる点は、参考例１は実施例１の排気筒を２部品にし、伸縮自在にした点である。したがって、それ以外の構成は実施例１を示す図１〜図４と同じであり、その説明を省略する。また、同じ構成には同じ符号を用いその説明を省略する。
【００２５】
以下、本参考例における排気筒構成を図５にて説明する。図５において、４８は下排気筒で、調理庫３３に連結している。４９は上排気筒で、一端は下排気筒４８に嵌合し、もう一端はロースタ排気口４１に嵌合している。
【００２６】
この構成によって、下排気筒４８と上排気筒４９とを摺動自在に嵌合することにより、ロースタ側の位置調整をする伸縮自在な排気筒を安価に構成できる。
【００２７】
（実施例２）
図６は、本発明の実施例２における組込み型加熱調理器のロースタ部側を示す側面断面図である。
【００２８】
実施例２において実施例１と異なる点は、実施例２は実施例１のロースタ部の調理庫と前板との嵌合を摺動自在にした点である。したがって、それ以外の構成は実施例１を示す図１〜図４と同じであり、その説明を省略する。また、同じ構成には同じ符号を用いその説明を省略する。
【００２９】
以下、本実施例におけるロースタ構成を図６にて説明する。図６において、５０はロースタ部で、調理庫５１内に前板５２のフランジ５３を摺動自在に嵌合しており、また、調理庫５１の周囲には遮熱ケース５４を設け、断熱している。調理庫５１内には、上ヒータ５５、下ヒータ５６を取付け、また、調理物を載せる網５７と受皿５８とを具備し、さらに、調理庫５１の前面にはロースタ扉５９を設け、ロースタ扉５９と受皿５８とは結合し、ロースタ扉５９の開閉で調理物の出し入れができるようにしている。また、６０は排気筒で、調理庫５１とトップフレーム１７に設けたロースタ排気口４１と連結している。
【００３０】
この構成によって、調理庫５１と嵌合する前板５２を摺動自在に取付け、調理庫５１内とトップフレーム１７の外側とを連結する排気筒６０を具備することにより、ロースタ付きの製品でも排気筒６０を固定した状態で、前板５２と外郭ケース１６との間で寸法を調整することができる。このため、排気筒６０を伸縮自在にせずにロースタ部５０の位置調整をすることができる。
【００３１】
（参考例２）
図７は、本発明の参考例２における組込み型加熱調理器の要部斜視図であり、図８は同組込み型加熱調理器の要部断面図である。
【００３２】
参考例２において実施例１と異なる点は、参考例２は実施例１の前板の固定方法を変更した点である。したがって、それ以外の構成は実施例１に示す図１〜図４と同じであり、その説明を省略する。また、同じ構成には同じ符号を用いその説明を省略する。
【００３３】
以下、本参考例における前板取付け構成を図７、図８にて説明する。図７、図８において、６１は前板で、操作部３１を固定している。前板６１の両側には、外れないように、固定ねじ６２の首下を回転自在に取付けている。固定ねじ６２の先端は外郭ケース６３の固定孔６４に締込み、また、固定ねじ６２の外周にはコイルバネ６５がはめられている。
【００３４】
この構成によって、本体の前面である前板６１と厨房家具４４の前面との位置合わせを前板６１と外郭ケース６３との間で寸法調整する際に固定ねじ６２の回し込みだけで簡単に調整ができ、使い勝手が向上する。また、コイルバネ６５にて常に前板６１と外郭ケース６３とに力が作用しており、前板６１のがたつきが低減することができる。
【００３５】
本参考例では、コイルバネ６５を用いたが用い無くてもよく、要は、固定ねじ６２を前板６１に回転自在に取付ければよい。また、バネを用いる際も板バネでもよく、要は、前板６１と外郭ケース６３との間で反発力が出るようにすればよい。
【００３６】
【発明の効果】
以上のように、請求項１に記載の発明によれば、本体上部の加熱部を大きくすることができ、かつ本体全体を移動することなく厨房家具の前面と面合わせができる。
【００３７】
また、厨房家具の天板上面とトッププレート上面との高さを面一構成にでき、トップフレームとトッププレートからなる本体上面部の天板上面からの飛出し分が低減し、トッププレートへの調理器具の載置しやすさや清掃性といった使い勝手が良くなるとともに、スッキリした感じがするデザイン性の向上が図れる。また、トッププレートを厨房家具の天板の開口部とほぼ同寸法まで大きくしても、前板と外郭ケースとの間で寸法調整することで、本体の前面である前板と厨房家具の前面との位置合わせをすることができる。これによって、トッププレートが大きくなって使い勝手がよくなる。また、調理庫と嵌合する前板を摺動自在に取付け、調理庫内とトップフレームの外側とを連結する排気筒を具備することにより、ロースタ付きの製品でも排気筒を固定した状態で、前板と外郭ケースとの間で寸法を調整することができる。このため、排気筒を伸縮自在にせずにロースタ部の位置調整をすることができる。
【図面の簡単な説明】
【図１】  本発明の実施例１における組込み型加熱調理器の斜視図
【図２】  同組込み型加熱調理器の操作部側を示す側面断面図
【図３】  同組込み型加熱調理器のロースタ部側を示す側面断面図
【図４】  同組込み型加熱調理器の要部斜視図
【図５】  本発明の参考例１における組込み型加熱調理器の要部断面図
【図６】  本発明の実施例２における組込み型加熱調理器のロースタ部側を示す側面断面図
【図７】  本発明の参考例２における組込み型加熱調理器の要部斜視図
【図８】  同組込み型加熱調理器の要部断面図
【図９】  従来の組込み型加熱調理器の側面断面図
【符号の説明】
１６、６３  外郭ケース
１７  トップフレーム
１８  トッププレート
２１ａ、２１ｂ、２６  加熱部
２７、５２、７０  前板
２９、６２  固定ねじ（固定手段）
３２、５０  ロースタ部
３３、５１  調理庫
４０  排気筒
４４  厨房家具
４５  開口部
４６  天板
４８  下排気筒
４９  上排気筒
【図１】
0004639486.tif 000002
【図２】
0004639486.tif 000003
【図３】
0004639486.tif 000004
【図４】
0004639486.tif 000005
【図５】
0004639486.tif 000006
【図６】
0004639486.tif 000007
【図７】
0004639486.tif 000008
【図８】
0004639486.tif 000009
【図９】
0004639486.tif 000010